(57)【要約】【課題】  ユーザーが外出先からスマートフォン（携帯端末）などの外部機器を用いて空気調和機の運転を開始させた場合、安全性を考慮して運転を開始してから所定時間経過した時に空気調和機の運転を停止させるオフタイマーを自動的に起動する機能が空気調和機に設けられている。このオフタイマーはユーザーが帰宅した後でも動作し続ける。そのため、ユーザーが帰宅した後にオフタイマーを停止して空気調和機の運転を継続したい場合、ユーザーはオフタイマーの動作を停止させる操作を行う必要があり、ユーザーの手間となっていた。【解決手段】  そこで、本発明は、ユーザーが帰宅した後に空気調和機のリモコンを操作することでオフタイマー手段を停止させるものである。これにより、ユーザーの手間を無くし利便性を向上させることが出来る。【選択図】図２
2015132449.tif 000002
【特許請求の範囲】
【請求項１】
空気調和機本体と、
前記空気調和機本体への運転指示である操作信号を前記空気調和機本体に直接送信するリモコンを備えると共に、通信ネットワークを経由して外部機器から送信された操作信号を受信できる空気調和機であって、
前記空気調和機本体は、
受信した操作信号に基づいて前記空気調和機本体の運転を制御する制御手段と、
所定時間経過後に前記空気調和機本体の運転を停止させるオフタイマー手段を備え、
前記制御手段は、
受信した操作信号が通信ネットワークを経由して受信した操作信号であると判断した時、前記オフタイマー手段を起動し、
前記オフタイマー手段の動作中に受信した操作信号が前記リモコンから直接送信された操作信号であると判断した時、前記オフタイマー手段の動作を停止させることを特徴とする空気調和機。
【発明の詳細な説明】
【技術分野】
【０００１】
本発明は、スマートフォンなど外部機器から通信ネットワークを経由して遠隔操作により運転制御が可能な空気調和機に関するものである。
【背景技術】
【０００２】
近年ではインターネット網などの通信ネットワークを経由して、外出先からユーザーがスマートフォン（携帯端末）などの外部機器を用いて、自宅に設置された空気調和機を制御することができるものがある。
【０００３】
ユーザーが外出先から外部機器により空気調和機の運転を開始させた場合、安全性を考慮して運転を開始してから所定時間経過した時に運転を停止させるオフタイマーを自動的に起動する機能が空気調和機に設けられている。
【発明の概要】
【発明が解決しようとする課題】
【０００４】
ユーザーが帰宅した後でもこのオフタイマーは動作し続ける。そのため、ユーザーが帰宅していても、オフタイマーは所定時間が経過したら空気調和機の運転を停止させる。このようにユーザーが意図しない時にオフタイマーが空気調和機を停止させるため、快適性が損なわれるおそれがあった。従って、ユーザーが帰宅した後にオフタイマーを停止して空気調和機の運転を継続したい場合、ユーザーはリモコンを用いてオフタイマーの動作を停止させるためだけの操作を行う必要があり、ユーザーの手間となっていた。
【０００５】
そこで、本発明は、上記の手間を省き利便性を向上させることを目的としたものである。
【課題を解決するための手段】
【０００６】
本発明による空気調和機は、空気調和機本体と、空気調和機本体への運転指示である操作信号を空気調和機本体に直接送信するリモコンを備えると共に、通信ネットワークを経由して外部機器から送信された操作信号を受信できる空気調和機であって、空気調和機本体は、受信した操作信号に基づいて空気調和機本体の運転を制御する制御手段と、所定時間経過後に空気調和機本体の運転を停止させるオフタイマー手段を備え、制御手段は、受信した操作信号が通信ネットワークを経由して受信した操作信号であると判断した時、オフタイマー手段を起動し、オフタイマー手段の動作中に受信した操作信号がリモコンから直接送信された操作信号であると判断した時、オフタイマー手段の動作を停止させる。
【発明の効果】
【０００７】
以上のような空気調和機によれば、ユーザーの手間を無くし利便性を向上させることが出来る。
【図面の簡単な説明】
【０００８】
【図１】本発明の空気調和機の構成図である。
【図２】本発明の空気調和機のフローチャート図である。
【発明を実施するための形態】
【０００９】
以下に、図面を基に本発明の実施形態を説明する。
【００１０】
本発明の実施形態における空気調和機は、図１に示すように、室内に設置される室内機１００と室外に設置される室外機２００から構成される空気調和機本体と、空気調和機本体への運転指示である操作信号を室内機１００に直接送信するリモコン３００を備えている。また、本実施形態における空気調和機は、無線ルータ４０１を介して接続される通信ネットワーク、例えばインターネット４０２を経由して、スマートフォン４０３など外部機器より送信された操作信号（以下、外部操作信号と記載）を受信し、外部機器からの操作を受けることが出来る。
【００１１】
本発明の実施形態における空気調和機の各構成について図１を基に説明する。
室内機１００は室内の冷房および暖房を行うものである。室内機１００には、室外機２００と通信するための通信部１０１と、室内温度などを検知する検知部１０２と、運転状態などを表示する表示部１０３と、設定温度などの情報を記憶する記憶部１０４と、無線ルータ４０１を介してインターネット４０２に接続されスマートフォン４０３など外部機器から送信された外部操作信号を受信し後述する制御部１０８に送信する無線アダプタ１０５と、リモコン３００から直接送信された操作信号（以下、直接操作信号と記載）を受信し後述する制御部１０８に送信するリモコン用送受信部１０６と、インターネット４０２を経由して受信した外部操作信号により空気調和機の運転を開始した場合、その時刻から時間のカウントを開始して所定時間経過した後に空気調和機の運転を停止させるオフタイマー手段１０７と、室内機１００の各構成を制御する制御部１０８が設けられる。なお、リモコン３００から送信された直接操作信号でオフタイマー手段１０７の動作を停止させることができるが、スマートフォン４０３から送信された外部操作信号でオフタイマー手段１０７の動作を停止させることは出来ない。
【００１２】
リモコン３００は空気調和機本体への運転指示である操作信号を室内機１００に直接送信する。リモコン３００には、室内機１００と通信するための送受信部３０１と、ユーザーが操作して運転開始などの運転情報を設定する操作キー部３０２と、設定された運転情報などを記憶する記憶部３０３と、記憶部に記憶されている運転情報などを表示する表示部３０４と、リモコン３００の各構成を制御する制御部３０５が設けられる。
【００１３】
次に、本実施形態における空気調和機の動作について図２を基に説明する。
制御部１０８は内部に記憶されている制御プログラムを実行する（Ｓ１）。制御部１０８は操作信号を受信したか否かを判断する（Ｓ２）。制御部１０８が操作信号を受信していない場合（Ｓ２−Ｎｏ）、制御部１０８はＳ２に処理を戻す。制御部１０８が操作信号を受信した場合（Ｓ２−Ｙｅｓ）、制御部１０８は受信した操作信号が運転停止信号であるか否かを判断する（Ｓ３）。受信した操作信号が運転停止を指示した操作信号であった場合（Ｓ３−Ｙｅｓ）、制御部１０８は空気調和機の運転を停止させ（Ｓ４）、制御プログラムを終了させる（Ｓ１２）。受信した操作信号が運転停止を指示した操作信号でなかった場合（Ｓ３−Ｎｏ）、制御部１０８は受信した操作信号が無線アダプタ１０５で受信した外部操作信号であるか否かを判断する（Ｓ５）。
【００１４】
受信した操作信号が無線アダプタ１０５で受信した外部操作信号である場合（Ｓ５−Ｙｅｓ）、制御部１０８はオフタイマー手段１０７が動作中であるか否かを判断する（Ｓ６）。オフタイマー手段１０７が動作中であった場合（Ｓ６−Ｙｅｓ）、制御部１０８はオフタイマー手段１０７のカウントを０にリセットして、再度オフタイマー手段のカウントを開始させた（Ｓ７）後、制御部１０８は外部操作信号の内容に基づいて、空気調和機の動作を制御する（Ｓ８）。
オフタイマー手段１０７が動作していなかった場合（Ｓ６−Ｎｏ）、制御部１０８はオフタイマー手段１０７を起動する（Ｓ９）と共に、表示部１０３に設けられる図示しないランプを点灯させる。その後、制御部１０８は受信した外部操作信号の内容に基づいて、空気調和機の動作を制御する（Ｓ８）。このようにランプを点灯させることで、オフタイマー手段１０７が動作していることをユーザーに知らせることが出来る。
オフタイマー手段１０７は、リセットまたは起動後に所定時間経過したら自動的に空気調和機の動作を停止させる。
【００１５】
受信した操作信号がリモコン用送受信部１０６で受信した直接操作信号である場合（Ｓ５−Ｎｏ）、制御部１０８はオフタイマー手段１０７が動作中であるか否かを判断する（Ｓ１０）。オフタイマー手段１０７が動作中であった場合（Ｓ１０−Ｙｅｓ）、制御部１０８はオフタイマー手段１０７を停止した（Ｓ１１）後、制御部１０８は直接操作信号の内容に基づいて、空気調和機の動作を制御する（Ｓ８）。オフタイマー手段１０７が動作していなかった場合（Ｓ１０−Ｎｏ）、制御部１０８は直接操作信号の内容に基づいて、空気調和機の動作を制御する（Ｓ８）。
【００１６】
以上より、外部操作信号より運転開始した時に起動したオフタイマー手段の動作を停止させるためだけのリモコン操作を無くすことで、ユーザーの手間を無くし利便性を向上させることが出来る。
【符号の説明】
【００１７】
１００    室内機
１０５    無線アダプタ
１０６    リモコン用送受信部
１０７    オフタイマー手段
２００    室外機
３００    リモコン
４０２    インターネット
４０３    スマートフォン
【図１】
2015132449.tif 000003
【図２】
2015132449.tif 000004